(57)【要約】【課題】ヘッド押下げ式液体噴出容器において、不用意なヘッド押下げによる液体噴出を防止する、簡易な安全装置を提案する。【解決手段】吐出管２上端にヘッド３を嵌合させ、該ヘッド押下げで容器体内液体がヘッドのノズル４から噴出する液体噴出容器において、容器体外面へ下方筒部を嵌合させて筒部材１１を起立させ、該筒部材とヘッドとに係合部を設けて、ノズルを容器体前方へ向けた状態でだけヘッドが押下げでき、ノズルを横向きにすると上記両係合部が係合して押下げ不能とした。【選択図】  図３
2004182258.tif 000002
【特許請求の範囲】
【請求項１】
容器体内から上方付勢されて起立する吐出管２の上部へ、ノズル付きヘッド３を嵌着させ、該ヘッド押下げにより容器体内液体がノズルから噴出し、又ヘッドは容器体に対し回動可能とした液体噴出容器において、
容器体外面へ下方筒部を嵌着させて筒部材１１を起立させると共に、筒部材とヘッドとに係合部を付設させて、ノズル４を容器体前方へ向けた状態でだけ、両係合部の係合が外れてヘッドの押下げが可能に形成した
ことを特徴とするヘッド押下げ式液体噴出容器。
【請求項２】
上記ヘッド３上部を覆って頂壁２２外周から周壁２３を垂下するカバー筒２１を設け、周壁２３下部を筒部材１１へ回動可能に嵌合させると共に、周壁前壁部にはノズル前部を露出する窓孔２５を穿設し、頂壁２２前部と左右両側を除く頂壁部分を割溝穿設によりヘッド押下げ用レバー２６とすると共に、該レバー下面から挾持板２７，２７  を垂下させてヘッド左右両側を回動不能に挾持させた
ことを特徴とする、請求項１記載のヘッド押下げ式液体噴出容器。
【請求項３】
上記容器体は、上方付勢されて起立するステム２ａを有する二箇のエアゾール缶１ａ，１ａ  を胴部を接し左右に連続させて形成し、吐出管２は、連通管状部２ｂの左右両側から第１嵌合筒２ｃ，２ｃ  を垂下し、かつ連通管状部の左右方向中間部から第２嵌合筒２ｄを起立する管状部材２ｅと、上記第１嵌合筒を嵌合させた両ステム２ａ，２ａ  とで形成し、
ヘッド３は、上記第２嵌合筒２ｄへ回動可能に嵌合させた連通管５を下面から垂下させて形成し、
筒部材１１は、左右方向中間上部に前後および上面開放かつ有底の凹部１１ｃ  を設けて、該凹部底板に連通管５を挿通させることで、該凹部内にヘッド上部を押下げおよび回動可能に突出させ、凹部底とヘッド上部とに係合部を付設させた
ことを特徴とする、請求項１記載のヘッド押下げ式液体噴出容器。
【請求項４】
上記ヘッドの上部外面へ、上下動可能に嵌合させた有頂のカバー筒２１を上記凹部１１ｃ  内へ回動可能に嵌合させると共に、該カバー筒頂壁２２の前部および左右両側を除く部分を切り離し線穿設によりヘッド押下げ用レバー２６に形成し、かつ該レバー下面から垂下させた左右一対をなす挾持板２７，２７  でヘッド上部の左右側面を回動不能に挾持させた
ことを特徴とする、請求項３記載のヘッド押下げ式液体噴出容器。
【請求項５】
上記両エアゾール缶１ａ，１ａ  の上端部外面へ頂壁２２外周から周壁２３を垂下する連結部材３１を嵌合させると共に、上記筒部材１１の下方筒部は連結部材を介して両エアゾール缶外面へ嵌合させ、
上記連結部材前後周壁の左右方向中間上部の少くとも一方から張出し板を介して弾性板３２を垂下すると共に、これ等張出し板と弾性板に対応する筒部材の筒壁部分を外方へ張出しさせて張出し板および弾性板を覆合する下面開放の覆合壁部となし、
又該覆合壁部と弾性板３２とに凹凸の係合手段を設けておき、
覆合壁部下端よりも下方まで垂下させた弾性板下端部分の押込みにより上記係合手段が外れて、管状部材２ｅ、ヘッド３、カバー筒２１と共に、筒部材１１を連結部材３１から取外し可能に形成した
ことを特徴とする、請求項４記載のヘッド押下げ式液体噴出容器。
【発明の詳細な説明】
【０００１】
【発明の属する技術分野】
本発明はヘッド押下げ式液体噴出容器に関する。
【０００２】
【従来の技術】
容器体内から付勢に抗して起立する吐出管の上端へ、ノズル付きヘッドを嵌着させ、該ヘッドを付勢に抗し押下げすることで、容器体内液体が吐出管を通りノズルから前方へ噴出可能に設けた液体噴出容器が知られている。（例えば特許文献１、２参照）
【０００３】
【特許文献１】
特開２００２−２２４５９８号公報
【特許文献２】
特開平１１−３３４７６７号公報
【０００４】
【発明が解決しようとする課題】
従来のヘッド押下げ式の液体噴出容器は、ヘッドの押下げを防止して誤操作による液体噴出が生じないようにする安全装置を有せず、しいて云えば容器上部へ着脱自在に嵌合させるキャップにより上記誤操作を防止していた。
【０００５】
しかし使用の都度、キャップの着脱を行うことは面倒である。
【０００６】
本発明は、ヘッドのノズルを横向きにするだけの操作でヘッドの押下げが不能となり、又前向きにするだけでヘッドの押下げが可能としたものである。
【０００７】
【課題を解決するための手段】
第１の手段として、容器体内から上方付勢されて起立する吐出管２の上部へ、ノズル付きヘッド３を嵌着させ、該ヘッド押下げにより容器体内液体がノズルから噴出し、又ヘッドは容器体に対し回動可能とした液体噴出容器において、
容器体外面へ下方筒部を嵌着させて筒部材１１を起立させると共に、筒部材とヘッドとに係合部を付設させて、ノズル４を容器体前方へ向けた状態でだけ、両係合部の係合が外れてヘッドの押下げが可能に形成した。
【０００８】
第２の手段として、上記第１の手段を有すると共に、上記ヘッド３上部を覆って頂壁２２外周から周壁２３を垂下するカバー筒２１を設け、周壁２３下部を筒部材１１へ回動可能に嵌合させると共に、周壁前壁部にはノズル前部を露出する窓孔２５を穿設し、頂壁２２前部と左右両側を除く頂壁部分を割溝穿設によりヘッド押下げ用レバー２６とすると共に、該レバー下面から挾持板２７，２７  を垂下させてヘッド左右両側を回動不能に挾持させた。
【０００９】
第３の手段として、上記第１の手段を有すると共に、上記容器体は、上方付勢されて起立するステム２ａを有する二箇のエアゾール缶１ａ，１ａ  を胴部を接し左右に連続させて形成し、吐出管２は、連通管状部２ｂの左右両側から第１嵌合筒２ｃ，２ｃ  を垂下し、かつ連通管状部の左右方向中間部から第２嵌合筒２ｄを起立する管状部材２ｅと、上記第１嵌合筒を嵌合させた両ステム２ａ，２ａ  とで形成し、
ヘッド３は、上記第２嵌合筒２ｄへ回動可能に嵌合させた連通管５を下面から垂下させて形成し、
筒部材１１は、左右方向中間上部に前後および上面開放かつ有底の凹部１１ｃ  を設けて、該凹部底板に連通管５を挿通させることで、該凹部内にヘッド上部を押下げおよび回動可能に突出させ、凹部底とヘッド上部とに係合部を付設させた。
【００１０】
第４の手段として、上記第３の手段を有すると共に、上記ヘッドの上部外面へ、上下動可能に嵌合させた有頂のカバー筒２１を上記凹部１１ｃ  内へ回動可能に嵌合させると共に、該カバー筒頂壁２２の前部および左右両側を除く部分を切り離し線穿設によりヘッド押下げ用レバー２６に形成し、かつ該レバー下面から垂下させた左右一対をなす挾持板２７，２７  でヘッド上部の左右側面を回動不能に挾持させた。
【００１１】
第５の手段として、上記第４の手段を有すると共に、上記両エアゾール缶１ａ，１ａ  の上端部外面へ頂壁２２外周から周壁２３を垂下する連結部材３１を嵌合させると共に、上記筒部材１１の下方筒部は連結部材を介して両エアゾール缶外面へ嵌合させ、
上記連結部材前後周壁の左右方向中間上部の少くとも一方から張出し板を介して弾性板３２を垂下すると共に、これ等張出し板と弾性板に対応する筒部材の筒壁部分を外方へ張出しさせて張出し板および弾性板を覆合する下面開放の覆合壁部となし、
又該覆合壁部と弾性板３２とに凹凸の係合手段を設けておき、
覆合壁部下端よりも下方まで垂下させた弾性板下端部分の押込みにより上記係合手段が外れて、管状部材２ｅ、ヘッド３、カバー筒２１と共に、筒部材１１を連結部材３１から取外し可能に形成した。
【００１２】
【発明の実施の形態】
まず、図１から図３が示す第１実施形態について説明すると、１は容器体、２は該容器体内から上方付勢されて起立する吐出管、３はノズル４付きのヘッドであり、該ヘッドから垂下させた連通管５を上記吐出管としてのステム上部へ回動可能に嵌合させている。但しその回動は吐出管２が容器体に対して回動するよう設けてもよい。ヘッド３の連通管中間部には、図３が示すように切欠き７と第１突部８とを有する外向きフランジ６を付設させている。これ等切欠きと第１突部については後述する。図示例において容器体はエアゾール缶で形成している。
【００１３】
１１は上記容器体の上部外面へ下方筒部を嵌着させて起立する筒部材で、中央部に上記連通管５を遊挿させた透孔を有する内向きフランジ１２外周部から、内外二重筒を垂下させてその内筒１３下端部を容器体上端部外面へ嵌合させ、外筒１４下端を容器体肩部の上面へ当接させている。又内向きフランジ外周部からは嵌合筒１５を起立し、かつ半径方向中間部からは図３が示すように、上方からみて、円の両側を外方へ張出しさせた外形の規整筒１６を起立し、又円部分の前後内方部分からは第２突部１７，１７  を内方へ突出し、上記外方張出し部分１６ａ，１６ａ  の中間部両側の内面には突条１８，１８  を縦設させている。
【００１４】
２１はカバー筒で、頂壁２２外周から垂下する周壁２３下部を、上記筒部材１１の嵌合筒１５の外面へ回動可能に嵌合させている。その頂壁２２および周壁上半の前部は、前面、上面および左右両側面開放の凹部２４とし、かつその凹部を形成する前壁部２４ａ  および底板部２４ｂ  の左右方向中間部にはノズルが突出する窓孔２５としている。又図３が示すように頂壁２２の前部と左右両側を除く頂壁部分を頂壁他部から切り離してヘッド押下げ用のレバー２６に形成している。
【００１５】
該レバー下面にはヘッド押下げ用の突部を付設するとよい。又該レバーの左右両側からはヘッド挾持板２７，２７  を垂下し、該カバー筒とヘッド３とは共に回動するよう設けている。
【００１６】
図１と図４とが示す規整筒１６とヘッドの外向きフランジ６とはカバー筒２１を介してのヘッドの回動範囲を定め、又ヘッドの押下げ位置、非押下げ位置を位置決めできるよう設けたもので、図４Ａが示すように、外向きフランジの切欠き７，７が第２突部１７，１７  上方に位置するとき、第１突部８，８側面は外方張出し部分１６ａ，１６ａ  の一方側面に接し、かつ第１突部８，８の他方側面は第１の突条１８，１８  の側面に接する。又このときノズル４は前方へ突出する。該図４Ａの状態ではヘッド３の下降が可能である。図１と図４Ａとはヘッドの下降が可能な位置を示す。  該図１および図４Ａが示す状態からカバー筒２１を介してヘッド３を時計回りに図４Ｂのように回動させると、第１突部８，８の他方側面は第１と第２の突条１８，１８  を乗越えして外方張出し部１６ａ，１６ａ  の他方側面に接し、かつ第１突部８，８の一方側面は第２の突条１８，１８  の側面に接して位置決めされる。該状態では第２突部１７，１７  上面に外向きフランジ６が接しており、よってヘッド３は下降不能である。
【００１７】
図５から図８は第２実施形態を示す。該実施形態は、二箇のエアゾール缶１ａ，１ａ  を左右に側面を接して並設させ、これ等両缶上部へキャップ状連結部材３１を嵌合させて容器体１を形成している。
【００１８】
吐出管２は、上記エアゾール缶の頂壁中央部から上方付勢されて起立するステム２ａ，２ａ  と、連通管状部２ｂの左右両部から第１嵌合筒２ｃ，２ｃ  を垂下すると共に、連通管状部２ｂの左右方向中間部から第２嵌合筒２ｄを起立する管状部材２ｅとで形成している。該管状部材は、図示のようにヒンジ連結させた上下二部材で形成するとよい。ステム２ａ，２ａ  上部には第１嵌合筒２ｃ，２ｃ  を嵌合させる。
【００１９】
ヘッド３は第１実施形態の場合とほぼ同じでよい。ヘッド３から垂下する連通管５は第２嵌合筒２ｄに対して回動可能とし、外向きフランジ６には切欠き７，７と第１突部８，８を有する。
【００２０】
該第２実施形態にあっては、第１実施形態における筒部材１１を大形としている。該筒部材は楕円形状に設けた頂壁１１ａ  外周から周壁１１ｂ  を垂下させて該周壁下部をキャップ状連結部材３１外面へ嵌合させ、又頂壁１１ａ  の左右方向中間部および周壁の中間上部に前後両面および上面開口の凹部１１ｃ  を形成させている。該凹部を形成する頂壁内縁からは、凹部内壁１１ｄ，１１ｄ  を周壁下方まで垂下させ、かつこれ等内壁の内面および凹部前後の上縁からは凹部底板としての内向きフランジ１１ｅ  を突出させている。又該内向きフランジ上面からは、図３の場合とほぼ同様に張出し部１６ａ，１６ａ  と第２突部１７，１７  と突条１８，１８  を有する規整筒１６を起立する。又該規整筒１６を囲んで、左右側部を高く設けたカバー筒用嵌合筒１９を起立している。
【００２１】
カバー筒２１は、図５、図６が示すように上記筒部材１１の凹部１１ｃ  内へ回動可能に嵌合させ、かつヘッド３の上部外面へ回動不能に嵌合させるもので、頂壁２２外周から垂下させた周壁２３を嵌合筒１９外面へ回動可能に嵌合させる。又周壁前部にはノズル突出用の下面開口窓孔２５を設け、頂壁２２の前部と左右両側を除く部分を割溝および薄肉溝穿設によりレバー２６に形成している。更にレバー下面からは図５が示すようにヘッド上部の左右側面を挾持する挾持板２７，２７  を垂下する。
【００２２】
該第２実施形態の場合も第１実施形態の図４の場合と同様に、ノズル４は前方へ向く状態で図６が示すように切欠き７下方に第２突部１７，１７  が位置して該状態ではレバー２６を介してヘッド３および吐出管２を押下げでき、カバー筒を介してノズルを横向きにヘッドを回すと、上記切欠き７，７と第２突部１７，１７  との位置ずれによりヘッドの押下げは不能となる。尚図７が示すようにノズル４を長く設けた場合は、筒部材１１の前面上部側方にノズルの先端部収納用凹部１１ｆ  を設けるが、ノズルが短かければ該凹部は不要である。規整筒１６と外向きフランジ６とによるノズルの位置決めは、第１実施形態の場合と同じである。
【００２３】
上記第２実施形態のように容器を形成した場合は、管状部材２ｅとヘッド３と筒部材１１とカバー筒２１とを一体的に組付けておき、エアゾール缶内の液体がなくなったとき、図１０のようにそれ等を共に連結部材３１から外し、又エアゾール缶から連結部材を外してエアゾール缶を交換できるようにすることが出来る。
【００２４】
この場合は、図９、図１０が示すように連結部材３１の左右方向中間上部の前後ないし少くとも一方から張出し板を介して弾性板３２を垂下させ、又その弾性板と対応する筒部材１１の筒壁部分を弾性板外面へ嵌合可能な外方突出壁部３３に形成し、弾性板外面へ横設した突条３４を外方突出壁部３３に穿設した横孔３５内へ嵌合させ、該外方突出壁部下端よりも弾性板下端を下方まで垂下させて、該垂下部分押込みにより上記横孔３５から突条３４が外れるよう設ければよい。
【００２５】
【発明の効果】
本発明は既述構成とするものであり、請求項１記載のようにすることで、ヘッド押下げ式液体噴出容器における、ヘッド押下げ防止用の安全装置を簡易に形成することが出来る。
【００２６】
請求項２のようにすることで、ヘッドの押下げが容易となり、かつカバー筒を介してヘッドを回動でき、噴出液体が付着し難い液体噴出操作が可能となる。
【００２７】
請求項３および４のようにすることで、二箇のエアゾール缶を一体的に連結させて容器体とし、ヘッド押下げにより両エアゾール缶内液体を一箇のノズルから同時噴出させることが出来、毛染め液体等二種液体を使用時に混合して使用する場合に便利である。
【００２８】
請求項４のようにすることで、ヘッドの押下げをレバーを介して行うことができ、その押下げが容易であると共に、噴出液体が手に付着し難い便利がある。
【００２９】
請求項５のようにすることで、二箇一対のエアゾール缶の交換が容易となる。
【図面の簡単な説明】
【図１】本発明容器の縦断面図である。
【図２】図１容器の平面図である。
【図３】図１容器の分解斜視図である。
【図４】図４Ａはヘッド押下げ位置を、図４Ｂはヘッド押下げ不能な位置をそれぞれ示す、図１容器の要部断面図である。
【図５】第２実施形態で示す、一部切欠きの容器正面図である。
【図６】図５容器の前後方向断面の説明図である。
【図７】図５容器の平面図である。
【図８】図５容器の分解斜視図である。
【図９】図５容器体の変形例を示す、要部断面図である。
【図１０】図９容器の分解斜視図である。
【符号の説明】
１…容器体                          ２…吐出管
３…ヘッド                    ５…連通管
１１…筒部材                ２１…カバー筒
３１…連結部材
【図１】
2004182258.tif 000003
【図２】
2004182258.tif 000004
【図３】
2004182258.tif 000005
【図４】
2004182258.tif 000006
【図５】
2004182258.tif 000007
【図６】
2004182258.tif 000008
【図７】
2004182258.tif 000009
【図８】
2004182258.tif 000010
【図９】
2004182258.tif 000011
【図１０】
2004182258.tif 000012